【手続補正書】
【提出日】平成17年12月12日(2005.12.12)
【手続補正１】
【補正対象書類名】明細書
【補正対象項目名】全文
【補正方法】変更
【補正の内容】
【書類名】      明細書
【発明の名称】  監視用ＩＣタグを備えた遊技機
【特許請求の範囲】
【請求項１】
自身に設けられている大入賞口の開閉扉及び基板ボックスの上蓋部の少なくとも１つにその開放を監視するための監視用ＩＣタグを備えた遊技機であって、
前記監視用ＩＣタグ及び認証部材に設けられ、他のＩＣタグと区別するための識別情報を記憶した認証用ＩＣタグと通信を行うＩＣタグ監視装置を備え、
前記監視用ＩＣタグは、
前記ＩＣタグ監視装置からの監視用呼出波に応答して監視用反射波を放出するＲＦ回路と、
他のＩＣタグと区別するための識別情報を記憶する識別情報記憶手段とを備え、
前記ＩＣタグ監視装置は、
前記監視用ＩＣタグ及び前記認証用ＩＣタグの監視のための情報である登録情報を記憶する登録情報記憶手段と、
前記監視用ＩＣタグを呼び出す前記監視用呼出波を送信する監視用呼出波送信手段と、
前記監視用ＩＣタグから返送される前記監視用反射波を受信する監視用反射波受信手段と、
前記監視用呼出波の送信を制御する監視用呼出波送信制御手段と、
前記監視用呼出波送信手段が前記監視用ＩＣタグに前記監視用呼出波を送信してから所定時間内に前記監視用反射波を前記監視用反射波受信手段が受信しなかった場合に異常と判定する監視判定手段と、
前記認証用ＩＣタグを呼び出す認証用呼出波を送信する認証用呼出波送信手段と、
前記認証用ＩＣタグから返送される認証用反射波を受信する認証用反射波受信手段と、
前記認証用反射波受信手段が、前記登録情報記憶手段に記憶されている前記登録情報の中の識別情報と同一の識別情報を含む前記認証用反射波を受信した場合に、前記遊技機を認証状態とする認証判定手段と、
前記遊技機が認証状態である場合に、前記監視用呼出波送信制御手段により前記監視用呼出波の送信を停止する監視制御手段と
を備えたことを特徴とする遊技機。
【請求項２】
自身に設けられている大入賞口の開閉扉及び基板ボックスの上蓋部の少なくとも１つにその開放を監視するための監視用ＩＣタグを備えた遊技機であって、
前記監視用ＩＣタグ及び認証部材に設けられ、他のＩＣタグと区別するための識別情報を記憶した認証用ＩＣタグと通信を行うＩＣタグ監視装置を備え、
前記監視用ＩＣタグは、
前記ＩＣタグ監視装置からの監視用呼出波に応答して監視用反射波を放出するＲＦ回路と、
他のＩＣタグと区別するための識別情報を記憶する識別情報記憶手段とを備え、
前記ＩＣタグ監視装置は、
前記監視用ＩＣタグ及び前記認証用ＩＣタグの監視のための情報である登録情報を記憶する登録情報記憶手段と、
前記監視用ＩＣタグを呼び出す前記監視用呼出波を送信する監視用呼出波送信手段と、
前記監視用ＩＣタグから返送される前記監視用反射波を受信する監視用反射波受信手段と、
前記監視用呼出波送信手段が前記監視用ＩＣタグに前記監視用呼出波を送信してから所定時間内に前記監視用反射波を前記監視用反射波受信手段が受信しなかった場合に異常と判定する監視判定手段と、
当該監視判定手段による判定の結果に関する情報である監視情報を記憶する監視情報記憶手段と、
前記認証用ＩＣタグを呼び出す認証用呼出波を送信する認証用呼出波送信手段と、
前記認証用ＩＣタグから返送される認証用反射波を受信する認証用反射波受信手段と、
前記認証用反射波受信手段が、前記登録情報記憶手段に記憶されている前記登録情報の中の識別情報と同一の識別情報を含む前記認証用反射波を受信した場合に、前記遊技機を認証状態とする認証判定手段と、
前記遊技機が認証状態である場合に、前記監視情報を前記監視情報記憶手段に記憶しないように制御する記憶制御手段と
を備えたことを特徴とする遊技機。
【請求項３】
自身に設けられている大入賞口の開閉扉及び基板ボックスの上蓋部の少なくとも１つにその開放を監視するための監視用ＩＣタグを備えた遊技機であって、
前記監視用ＩＣタグ及び認証部材に設けられ、他のＩＣタグと区別するための識別情報を記憶した認証用ＩＣタグと通信を行うＩＣタグ監視装置を備え、
前記監視用ＩＣタグは、
前記ＩＣタグ監視装置からの監視用呼出波に応答して監視用反射波を放出するＲＦ回路と、
他のＩＣタグと区別するための識別情報を記憶する識別情報記憶手段とを備え、
前記ＩＣタグ監視装置は、
前記監視用ＩＣタグ及び前記認証用ＩＣタグの監視のための情報である登録情報を記憶する登録情報記憶手段と、
前記監視用ＩＣタグを呼び出す前記監視用呼出波を送信する監視用呼出波送信手段と、
前記監視用ＩＣタグから返送される前記監視用反射波を受信する監視用反射波受信手段と、
前記監視用呼出波送信手段が前記監視用ＩＣタグに前記監視用呼出波を送信してから所定時間内に前記監視用反射波を前記監視用反射波受信手段が受信しなかった場合に異常と判定する監視判定手段と、
当該監視判定手段が異常と判定した場合に、判定の結果に関する情報である監視情報を外部に出力する監視情報出力手段と、
前記認証用ＩＣタグを呼び出す認証用呼出波を送信する認証用呼出波送信手段と、
前記認証用ＩＣタグから返送される認証用反射波を受信する認証用反射波受信手段と、
前記認証用反射波受信手段が、前記登録情報記憶手段に記憶されている前記登録情報の中の識別情報と同一の識別情報を含む前記認証用反射波を受信した場合に、前記遊技機を認証状態とする認証判定手段と、
前記遊技機が認証状態である場合に、前記監視情報出力手段により前記監視情報を外部に出力しないように制御する出力制御手段と
を備えたことを特徴とする遊技機。
【請求項４】
前記監視情報は、前記開放の前記部材の移動が発生した日付、時刻、判定結果及び前記監視用ＩＣタグが備えられている位置を特定する位置特定符号の少なくとも１つを含む履歴データであることを特徴とする請求項２又は３のいずれかに記載の遊技機。
【請求項５】
前記登録情報は、前記位置特定符号及び前記認証用ＩＣタグを示す符号毎に対応させて記憶されており、前記ＩＣタグ監視装置が前記監視用ＩＣタグに前記監視用呼出波を送信する送信タイミング、前記監視用ＩＣタグに記憶されている前記識別情報、前記認証用ＩＣタグに前記認証用呼出波を送信する送信タイミング、及び、前記認証用ＩＣタグに記憶されている前記識別情報のうちの少なくとも１つを含むことを特徴とする請求項１乃至４のいずれかに記載の遊技機。
【請求項６】
前記ＩＣタグ監視装置は、前記監視用ＩＣタグの近傍に配置され、前記ＲＦ回路から放出される前記監視用呼出波を前記監視用ＩＣタグに向けて送信し、且つ、当該監視用ＩＣタグから前記監視用反射波を受信して前記ＲＦ回路に入力する監視用アンテナとを備え、
前記監視用呼出波送信制御手段は、前記ＲＦ回路からの前記監視用呼出波の送信を制御し、
前記監視判定手段は、前記ＲＦ回路と前記監視用アンテナを用いて前記監視用ＩＣタグに前記監視用呼出波を送信してから所定時間内に前記監視用反射波を受信しなかった場合に異常と判定することを特徴とする請求項１乃至５のいずれかに記載の遊技機。
【発明の詳細な説明】
【０００１】
【発明の属する技術分野】
本発明は、監視用ＩＣタグを備えた遊技機に関し、詳細には、自身の大入賞口の開閉扉や基板ボックスの上蓋部の開放を監視するための監視用ＩＣタグを備えた遊技機に関する。
【０００２】
【従来の技術】
従来、遊技機のうちパチンコ機においては、遊技者が不当に遊技球を獲得する不正行為が後を絶たず、種々の防止策が施されている。特に、遊技機の制御を司る制御基板の不正改造、例えば、不正ＲＯＭへの交換を防止するために、制御基板を収納する基板ボックスには、様々な工夫が施されている。例えば、基板ボックスに封印シールを設けたり、また、制御基板に触われないように、基板ボックスを閉じるかしめ方向にのみ回転する封印ビスによって、基板ボックスの開放を困難にしているものがある（例えば、特許文献１参照）。さらに、可動接点を用いて収納ボックスの開閉を検出して、その検出信号を記憶して、発光ダイオードにより報知するようにしているものもある（例えば、特許文献２参照）。また、基板ボックスの表面にＩＣタグを貼着し、ＩＤ読取装置からの送信要求に応じてＩＣタグからその内部に記憶された識別情報をＩＤ読取装置に送信させ、識別情報を確認することにより、基板ボックスごと制御基板がすり替えられたか否かを判断するようになっているものもある（例えば、特許文献３参照）。
【０００３】
【特許文献１】
特開平１０−２１６３２４号公報
【特許文献２】
特開平９−３４３６５号公報
【特許文献３】
特開２０００−２８８２１８号公報
【０００４】
しかし、封印シールを用いるものでは、基板ボックスを開放して不正ＲＯＭへの交換が終了した後に、精巧な偽造封印シールを張られてしまうと基板ボックスが開閉されたか否かを判断することは困難だった。また、封印ビスを用いるものでは、特殊な工具で強制的に封印ビスを開放方向へ回して基板ボックスを開放して不正ＲＯＭへの交換が行われてしまうことがあった。さらに、可動接点を用いて基板ボックスの開閉を検出するものでは、基板ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまい、基板ボックスの開閉を検出することができなくなると言う問題点があった。さらに、上記の従来技術では、基板ボックスが開閉されたか否かは、制御基板を目視しないと判断できないという問題点があり、このような不正行為は夜間に行われることが多いが、遊技場に何百台とある遊技機を毎朝点検確認するのは煩雑であった。
【０００５】
そこで、本出願人は特願２００２−２３２１９３号で遊技機の状態を監視する監視システム、遊技機及び装置管理システムを提案した。この出願では、遊技機の一種であるパチンコ機の基板ボックス及び大入賞口の開閉扉に監視用ＩＣタグを各々取り付け、これらの監視用ＩＣタグと通信するリーダライタユニット（ＩＣタグ監視装置）が、適時監視用ＩＣタグに呼出波を送信し、ＩＣタグから予めＩＣタグ監視装置に記憶されている監視用ＩＣタグのＩＤコードが含まれている反射波が返送されてくるか否かにより、部材の開閉を監視している。そして、監視結果を管理機で報知している。尚、大入賞口は通常は閉鎖された状態であり、この大入賞口が開放され、遊技機が入球すると遊技者は多数の遊技球を獲得できるため、薄いプラスチック板などで不正に開閉扉を開いて、遊技球を入賞させるという不正が発生している。そのため、大入賞口の開閉扉の開放の監視が必要となる。
【０００６】
【発明が解決しようとする課題】
しかしながら、特願２００２−２３２１９３号における発明において、被監視部材の交換を行ったり、点検を行ったりする場合には、基板ボックスや大入賞口が開放され、監視用ＩＣタグと監視用アンテナの通信ができなくなる。しかし、この開放は不正により行われているわけではないため、その都度管理機で報知されると、係員の対応が煩雑であったり、記録を残すために管理機やパチンコ機において無駄なメモリを消費したりするという問題がある。
【０００７】
本発明は、上記問題を解決するためになされたものであり、自身の大入賞口の開閉扉や基板ボックスの上蓋部の開放を監視するための監視用ＩＣタグを備えた遊技機において、必要がない場合には、監視用呼出波の送信を停止でき、または、監視情報を記憶せず、または、監視情報を外部に出力しないようにできる遊技機を実現することを目的としている。
【０００８】
【課題を解決するための手段】
上記課題を解決するため、請求項１に係る発明の遊技機では、自身に設けられている大入賞口の開閉扉及び基板ボックスの上蓋部の少なくとも１つにその開放を監視するための監視用ＩＣタグを備えた遊技機であって、前記監視用ＩＣタグ及び認証部材に設けられ、他のＩＣタグと区別するための識別情報を記憶した認証用ＩＣタグと通信を行うＩＣタグ監視装置を備え、前記監視用ＩＣタグは、他のＩＣタグと区別するための識別情報を記憶する識別情報記憶手段を備え、前記監視用ＩＣタグは、前記ＩＣタグ監視装置からの監視用呼出波に応答して監視用反射波を放出するＲＦ回路と、他のＩＣタグと区別するための識別情報を記憶する識別情報記憶手段とを備え、前記ＩＣタグ監視装置は、前記監視用ＩＣタグ及び前記認証用ＩＣタグの監視のための情報である登録情報を記憶する登録情報記憶手段と、前記監視用ＩＣタグを呼び出す前記監視用呼出波を送信する監視用呼出波送信手段と、前記監視用ＩＣタグから返送される前記監視用反射波を受信する監視用反射波受信手段と、前記監視用呼出波の送信を制御する監視用呼出波送信制御手段と、前記監視用呼出波送信手段が前記監視用ＩＣタグに前記監視用呼出波を送信してから所定時間内に前記監視用反射波を前記監視用反射波受信手段が受信しなかった場合に異常と判定する監視判定手段と、前記認証用ＩＣタグを呼び出す認証用呼出波を送信する認証用呼出波送信手段と、前記認証用ＩＣタグから返送される認証用反射波を受信する認証用反射波受信手段と、前記認証用反射波受信手段が、前記登録情報記憶手段に記憶されている前記登録情報の中の識別情報と同一の識別情報を含む前記認証用反射波を受信した場合に、前記遊技機を認証状態に移行させる認証判定手段と、当該認証判定手段により前記遊技機が認証状態にされた場合に、前記監視用呼出波送信制御手段により前記監視用呼出波の送信を停止する監視制御手段とを備えている。
【０００９】
この構成の遊技機では、遊技機のＩＣタグ監視装置は、大入賞口の開閉扉及び基板ボックスの上蓋部の少なくとも１つに設けられた監視用ＩＣタグ及び認証部材に設けられた認証用ＩＣタグと通信を行い、監視用ＩＣタグの識別情報記憶手段は、他のＩＣタグと区別するための識別情報を記憶する。また、ＩＣタグ監視装置の登録情報記憶手段は、監視用ＩＣタグ及び認証用ＩＣタグの監視のための情報である登録情報を記憶し、監視用呼出波送信手段は、監視用ＩＣタグを呼び出す監視用呼出波を送信し、監視用反射波受信手段は、監視用ＩＣタグから返送される監視用反射波を受信し、監視用呼出波送信制御手段は、監視用呼出波の送信を制御し、監視判定手段は、監視用呼出波送信手段が監視用ＩＣタグに監視用呼出波を送信してから所定時間内に監視用反射波を監視用反射波受信手段が受信しなかった場合に異常と判定し、認証用呼出波送信手段は、認証用ＩＣタグを呼び出す認証用呼出波を送信し、認証用反射波受信手段は、認証用ＩＣタグから返送される認証用反射波を受信し、認証判定手段は、認証用反射波受信手段が、登録情報記憶手段に記憶されている登録情報の中の識別情報と同一の識別情報を含む認証用反射波を受信した場合に、遊技機を認証状態に移行させ、監視制御手段は、認証判定手段により遊技機が認証状態にされた場合に、監視用呼出波送信制御手段により監視用呼出波の送信を停止する。
【００１０】
また、請求項２に係る発明の遊技機では、自身に設けられている大入賞口の開閉扉及び基板ボックスの上蓋部の少なくとも１つにその開放を監視するための監視用ＩＣタグを備えた遊技機であって、前記監視用ＩＣタグ及び認証部材に設けられ、他のＩＣタグと区別するための識別情報を記憶した認証用ＩＣタグと通信を行うＩＣタグ監視装置を備え、前記監視用ＩＣタグは、前記ＩＣタグ監視装置からの監視用呼出波に応答して監視用反射波を放出するＲＦ回路と、他のＩＣタグと区別するための識別情報を記憶する識別情報記憶手段とを備え、前記ＩＣタグ監視装置は、前記監視用ＩＣタグ及び前記認証用ＩＣタグの監視のための情報である登録情報を記憶する登録情報記憶手段と、前記監視用ＩＣタグを呼び出す前記監視用呼出波を送信する監視用呼出波送信手段と、前記監視用ＩＣタグから返送される前記監視用反射波を受信する監視用反射波受信手段と、前記監視用呼出波送信手段が前記監視用ＩＣタグに前記監視用呼出波を送信してから所定時間内に前記監視用反射波を前記監視用反射波受信手段が受信しなかった場合に異常と判定する監視判定手段と、当該監視判定手段による判定の結果に関する情報である監視情報を記憶する監視情報記憶手段と、前記認証用ＩＣタグを呼び出す認証用呼出波を送信する認証用呼出波送信手段と、前記認証用ＩＣタグから返送される認証用反射波を受信する認証用反射波受信手段と、前記認証用反射波受信手段が、前記登録情報記憶手段に記憶されている前記登録情報の中の識別情報と同一の識別情報を含む前記認証用反射波を受信した場合に、前記遊技機を認証状態に移行させる認証判定手段と、当該認証判定手段により認証状態に移行された場合に、前記監視情報を前記監視情報記憶手段に記憶しないように制御する記憶制御手段とを備えている。
【００１１】
この構成の遊技機では、遊技機のＩＣタグ監視装置は、大入賞口の開閉扉及び基板ボックスの上蓋部の少なくとも１つに設けられた監視用ＩＣタグ及び認証部材に設けられた認証用ＩＣタグと通信を行い、監視用ＩＣタグの識別情報記憶手段は、他のＩＣタグと区別するための識別情報を記憶する。また、ＩＣタグ監視装置の登録情報記憶手段は、監視用ＩＣタグ及び認証用ＩＣタグの監視のための情報である登録情報を記憶し、監視用呼出波送信手段は、監視用ＩＣタグを呼び出す監視用呼出波を送信し、監視用反射波受信手段は、監視用ＩＣタグから返送される監視用反射波を受信し、監視判定手段は、監視用呼出波送信手段が監視用ＩＣタグに監視用呼出波を送信してから所定時間内に監視用反射波を監視用反射波受信手段が受信しなかった場合に異常と判定し、監視情報記憶手段は、監視判定手段による判定の結果に関する情報である監視情報を記憶し、認証用呼出波送信手段は、認証用ＩＣタグを呼び出す認証用呼出波を送信し、認証用反射波受信手段は、認証用ＩＣタグから返送される認証用反射波を受信し、認証判定手段は、認証用反射波受信手段が、登録情報記憶手段に記憶されている登録情報の中の識別情報と同一の識別情報を含む認証用反射波を受信した場合に、遊技機を認証状態に移行させ、記憶制御手段は、認証判定手段により認証状態に移行された場合に、監視情報を監視情報記憶手段に記憶しないように制御する。
【００１２】
また、請求項３に係る発明の遊技機では、自身に設けられている大入賞口の開閉扉及び基板ボックスの上蓋部の少なくとも１つにその開放を監視するための監視用ＩＣタグを備えた遊技機であって、前記監視用ＩＣタグ及び認証部材に設けられ、他のＩＣタグと区別するための識別情報を記憶した認証用ＩＣタグと通信を行うＩＣタグ監視装置を備え、前記監視用ＩＣタグは、前記ＩＣタグ監視装置からの監視用呼出波に応答して監視用反射波を放出するＲＦ回路と、他のＩＣタグと区別するための識別情報を記憶する識別情報記憶手段とを備え、前記ＩＣタグ監視装置は、前記監視用ＩＣタグ及び前記認証用ＩＣタグの監視のための情報である登録情報を記憶する登録情報記憶手段と、前記監視用ＩＣタグを呼び出す前記監視用呼出波を送信する監視用呼出波送信手段と、前記監視用ＩＣタグから返送される前記監視用反射波を受信する監視用反射波受信手段と、前記監視用呼出波送信手段が前記監視用ＩＣタグに前記監視用呼出波を送信してから所定時間内に前記監視用反射波を前記監視用反射波受信手段が受信しなかった場合に異常と判定する監視判定手段と、当該監視判定手段が異常と判定した場合に、判定の結果に関する情報である監視情報を外部に出力する監視情報出力手段と、前記認証用ＩＣタグを呼び出す認証用呼出波を送信する認証用呼出波送信手段と、前記認証用ＩＣタグから返送される認証用反射波を受信する認証用反射波受信手段と、前記認証用反射波受信手段が、前記登録情報記憶手段に記憶されている前記登録情報の中の識別情報と同一の識別情報を含む前記認証用反射波を受信した場合に、前記遊技機を認証状態に移行させる認証判定手段と、当該認証判定手段により前記遊技機が認証状態に移行された場合に、前記監視情報出力手段により前記監視情報を外部に出力しないように制御する出力制御手段とを備えている。
【００１３】
この構成の遊技機では、遊技機のＩＣタグ監視装置は、大入賞口の開閉扉及び基板ボックスの上蓋部の少なくとも１つに設けられた監視用ＩＣタグ及び認証部材に設けられた認証用ＩＣタグと通信を行い、監視用ＩＣタグの識別情報記憶手段は、他のＩＣタグと区別するための識別情報を記憶する。また、ＩＣタグ監視装置の登録情報記憶手段は、監視用ＩＣタグ及び認証用ＩＣタグの監視のための情報である登録情報を記憶し、監視用呼出波送信手段は、監視用ＩＣタグを呼び出す監視用呼出波を送信し、監視用反射波受信手段は、監視用ＩＣタグから返送される監視用反射波を受信し、監視判定手段は、監視用呼出波送信手段が監視用ＩＣタグに監視用呼出波を送信してから所定時間内に監視用反射波を監視用反射波受信手段が受信しなかった場合に異常と判定し、監視情報出力手段は、監視判定手段が異常と判定した場合に、判定の結果に関する情報である監視情報を外部に出力し、認証用呼出波送信手段は、認証用ＩＣタグを呼び出す認証用呼出波を送信し、認証用反射波受信手段は、認証用ＩＣタグから返送される認証用反射波を受信し、認証判定手段は、認証用反射波受信手段が、登録情報記憶手段に記憶されている登録情報の中の識別情報と同一の識別情報を含む認証用反射波を受信した場合に、遊技機を認証状態に移行させ、出力制御手段は、認証判定手段により装置が認証状態に移行された場合に、監視情報出力手段により監視情報を外部に出力しないように制御する。
【００１４】
また、請求項４に係る発明の遊技機では、請求項２又は３のいずれかに記載の発明の構成に加えて、前記監視情報は、前記開放が発生した日付、時刻、判定結果及び前記監視用ＩＣタグが備えられている位置を特定する位置特定符号の少なくとも１つを含む履歴データであることを特徴とする構成となっている。
【００１５】
この構成の遊技機では、請求項２又は３のいずれかに記載の発明の作用に加えて、監視情報は、開放が発生した日付、時刻、判定結果及び監視用ＩＣタグが備えられている位置を特定する位置特定符号の少なくとも１つを含む履歴データが用いられる。
【００１６】
また、請求項５に係る発明の遊技機では、請求項１乃至４のいずれかに記載の発明の構成に加えて、前記登録情報は、前記位置特定符号及び前記認証用ＩＣタグを示す符号毎に対応させて記憶されており、前記ＩＣタグ監視装置が前記監視用ＩＣタグに前記監視用呼出波を送信する送信タイミング、前記監視用ＩＣタグに記憶されている前記識別情報、前記認証用ＩＣタグに前記認証用呼出波を送信する送信タイミング、及び、前記認証用ＩＣタグに記憶されている前記識別情報のうちの少なくとも１つを含むことを特徴とする構成となっている。
【００１７】
この構成の遊技機では、請求項１乃至４のいずれかに記載の発明の作用に加えて、登録情報は、位置特定符号及び認証用ＩＣタグを示す符号毎に対応させて記憶されており、ＩＣタグ監視装置が監視用ＩＣタグに監視用呼出波を送信する送信タイミング、監視用ＩＣタグに記憶されている識別情報、認証用ＩＣタグに認証用呼出波を送信する送信タイミング、及び、認証用ＩＣタグに記憶されている識別情報のうちの少なくとも１つを含む。
【００１８】
また、請求項６に係る発明の遊技機では、請求項１乃至５のいずれかに記載の発明の構成に加えて、前記ＩＣタグ監視装置は、前記監視用ＩＣタグの近傍に配置され、前記ＲＦ回路か放出される前記監視用呼出波を前記監視用ＩＣタグに向けて送信し、且つ、当該監視用ＩＣタグから前記監視用反射波を受信して前記ＲＦ回路に入力する監視用アンテナとを備え、前記監視用呼出波送信制御手段は、前記ＲＦ回路からの前記監視用呼出波の送信を制御し、前記監視判定手段は、前記ＲＦ回路と前記監視用アンテナを用いて前記監視用ＩＣタグに前記監視用呼出波を送信してから所定時間内に前記監視用反射波を受信しなかった場合に異常と判定する構成となっている。
【００１９】
この構成の遊技機では、請求項１乃至５のいずれかに記載の発明の作用に加えて、監視用呼出波送信制御手段は、ＲＦ回路からの監視用呼出波の送信を制御し、監視判定手段は、ＲＦ回路と監視用アンテナを用いて監視用ＩＣタグに監視用呼出波を送信してから所定時間内に監視用反射波を受信しなかった場合に異常と判定する。
【００２０】
【発明の実施の形態】
以下、本発明の一実施の形態について図面を参照して以下の順で説明する。
1.システム構成の概要説明
2.遊技機の説明
3.管理端末装置の説明
4.ＩＣタグ監視装置での監視に関するデータの説明
5.ＩＣタグ監視装置での監視動作に関する説明＜動作例１＞
6.ＩＣタグ監視装置での監視動作に関する説明＜動作例２＞
7.ＩＣタグ監視装置での監視動作に関する説明＜動作例３＞
8.実施の形態と請求項との対比
9.実施の形態の効果
10.変形例の説明
【００２１】
1.システム構成の概要説明
図１は、本実施の形態の監視システムの構成図である。本実施形態の監視システムでは、遊技機の一種であるパチンコ機１が「遊技機」として機能し、パチンコ機１に付属したリーダライタユニット（以下、「Ｒ／Ｗユニット」と称する。）３０が「ＩＣタグ監視装置」として機能する。パチンコ機１にはＲ／Ｗユニット３０が付属しており、遊技場内にある複数台のパチンコ機１を背中合わせに２列に並べて設置した遊技機設置島２００の各々に管理端末装置１００が設置されている。さらに、パチンコ機１に付属のＲ／Ｗユニット３０が店内ネットワーク１５０を介して管理端末装置１００に接続される構成となっている。また、管理端末装置１００は遊技場全体を管理するホールコンピュータ３００に接続されており、このホールコンピュータ３００が各管理端末装置１００を一括管理している。
【００２２】
また、パチンコ機１には、パチンコ機１の制御を行う基板が備えられている基板ボックス８０（図３参照）の上蓋部８０ａの内面の正面視右下に監視用ＩＣタグ８６が取り付けられており（図７参照）、遊技球の入賞により多数の遊技球を払い出す大入賞口１６（図２参照）の開閉扉１６ａに、監視用ＩＣタグ１８６が貼り付けられている（図８参照）。そして、Ｒ／Ｗユニット３０がこれらの監視用ＩＣタグ８６，１８６に監視用呼出波をアンテナを介して送信して監視用ＩＣタグ８６，１８６が備えられた基板ボックス８０及び大入賞口１６の開閉の監視、即ち上蓋部８０ａ及び開閉扉１６ａの異常の監視を行っている。また、監視の結果、異常が発生したり、異常が回復したりした場合には、その情報が監視情報としてＲ／Ｗユニット３０に記憶され、管理端末装置１００に送信される。そこで、管理端末装置１００は監視情報を報知し、その監視情報に対して遊技場内で係員が対応できるように構成されている。また、管理端末装置１００では、監視情報の履歴を閲覧することができる。
【００２３】
また、パチンコ機１において、被監視部材である基板ボックス８０や大入賞口１６の部品を交換する際や点検する際には、基板ボックス８０や大入賞口１６が開放されたとしても、それは異常として報知されたり、記録に残されたりするべきものではない。そこで、本発明では、パチンコ機１を認証状態とする認証判定手段を備え、パチンコ機１が認証状態である場合には、報知や記録を行わないようにし、本実施の形態では、その具体的な動作として＜動作例１＞、＜動作例２＞及び＜動作例３＞の３つの動作例を挙げる。＜動作例１＞では、監視用ＩＣタグへの監視用呼出波の送信を中止することにより監視を中止して報知や記録を行わないようにする。＜動作例２＞では、監視情報を記憶させなくする。＜動作例３＞では、監視情報を外部（管理端末装置１００）へ出力させなくする。
【００２４】
尚、図７に示す基板ボックス８０の上蓋部８０ａ及び図８に示す大入賞口１６の開閉扉１６ａが「部材」に相当し、開閉部材である上蓋部８０ａ及び開閉扉１６ａの開放が請求項に言う「開放」に相当し、基板ボックス８０の上蓋部８０ａの内面の正面視右下及び大入賞口１６の開閉扉１６ａが「監視用ＩＣタグが備えられている位置」に相当している。本発明の監視システムでは、大入賞口の開閉扉及び基板ボックスの上蓋部の少なくとも１つの開放を監視するために、被監視部材の１箇所又は複数の位置に監視用ＩＣタグを設置して、Ｒ／Ｗユニット３０が各監視用ＩＣタグに対して監視用呼出波を送信することにより被監視部材の移動を監視する。本実施の形態では、１つの被監視部材に対して１箇所の位置にしか監視用ＩＣタグを設置していないが、例えば、基板ボックス８０について言うならば、上蓋部８０ａの内面の正面視右下だけでなく、正面視左上にも監視用ＩＣタグを設置して、１つの被監視部材に対して複数の位置に監視用ＩＣタグを設置することにより被監視部材の監視を行ってもよい。
【００２５】
2. 遊技機の説明
次に、図２を参照してパチンコ機１について説明する。図２は、パチンコ機１の前面枠１１１及び本体枠１１０を開いた状態をパチンコ機１の前面から見た斜視図である。図２に示すように、パチンコ機１は、遊技機設置島２００に固定される機枠１１２と、本体１１３を囲い固定している本体枠１１０と、遊技盤２を保護する前面枠１１１とから構成されている。本体枠１１０の前面右端に備えられた鍵穴１２０に鍵１２１（図９参照）を挿入し、鍵１２１を左方向へ回転させると前面枠１１１が手前に開き、鍵１２１を右方向へ回転させると本体枠１１０が手前に開く。さらに、鍵穴１２０の近傍かつ本体枠１１０の裏面には鍵１２１に埋め込まれている認証用ＩＣタグ１２６（図９参照）と通信するための認証用アンテナ１２８が備えられている。
【００２６】
また、パチンコ機１の本体枠１１０の内部には本体１１３がはめ込まれており、本体１１３の正面の上半分の部分には、略正方形の遊技盤２が設けられ、遊技盤２には、ガイドレール３で囲まれた略円形の遊技領域４が設けられていおり、前面枠１１１は透明なガラス板１１１ａを保持し、遊技盤２を覆っている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。また、遊技領域４の下部には、大入賞口１６が設けられている。尚、遊技領域４には、中央下部には遊技球が入賞する大入賞口１６が設けられている。通常、この大入賞口１６は開閉扉１６ａ（図８参照）が閉じた状態で遊技球が入賞できないようになっており、大当たり状態となった場合にのみ開閉扉１６ａが開放される。大入賞口１６に遊技球が入賞すると遊技者は多数の遊技球を獲得することができる。また、遊技領域４には、上記以外に種々の入賞口、電飾ランプ、風車、障害釘及び図柄表示装置等が設けられている。
【００２７】
次に、図３を参照して、パチンコ機１の背面の構造について説明する。図３はパチンコ機１の背面図である。図３に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側にＲ／Ｗユニット３０が設置されている。尚、Ｒ／Ｗユニット３０の電源は、電源基板４２からではなく遊技機設置島２００の電源装置（図示外）から供給されている。
【００２８】
次に、図４を参照してパチンコ機１及びパチンコ機１に付属したＲ／Ｗユニット３０の主な構成要素の電気的構成について説明する。図４は、パチンコ機１及びパチンコ機１に付属したＲ／Ｗユニット３０の電気的構成を示すブロック図である。
【００２９】
パチンコ機１には、主制御基板４１、電源基板４２、音基板４３、図柄表示基板４４、払出制御基板４５、電飾基板４６、中継基板４７、発射基板６６が設けられている。主制御基板４１には、各種の演算処理を行うＣＰＵ５１が設けられており、フラグやカウンタ値やデータやプログラム等を記憶するＲＡＭ５２と、制御プログラム及び各種の初期値のデータや図柄表示装置（図示外）への表示内容のデータ等を記憶したＲＯＭ５３とが接続している、これらのＣＰＵ５１、ＲＡＭ５２及びＲＯＭ５３は１つのＬＳＩ５０として一体にモールディングされている。また、ＣＰＵ５１は、Ｉ／Ｏインターフェース５４に接続しており、Ｉ／Ｏインターフェース５４には、Ｒ／Ｗユニット３０へデータを引き渡すための出力ポート５５、音基板４３、図柄表示基板４４、払出制御基板４５、電飾基板４６、中継基板４７、発射基板６６が接続している。また、主制御基板４１、音基板４３、図柄表示基板４４、払出制御基板４５、電飾基板４６、中継基板４７、発射基板６６はそれぞれ電源基板４２に接続し、電源の供給を受けている。さらに、パチンコ機１には監視用ＩＣタグ８６及び監視用ＩＣタグ１８６が、それぞれの監視部材である基板ボックス８０及び大入賞口１６に貼り付けられている。
【００３０】
また、Ｒ／Ｗユニット３０には、Ｒ／Ｗユニット３０の制御を司るＣＰＵ３１が設けられており、ＣＰＵ３１にはフラグやデータ等を一時的に記憶するＲＡＭ３３、制御プログラム及び各種の初期値のデータ等を記憶したＲＯＭ３４、及び、登録情報３２１（図１２参照）等を記憶するＥＥＰＲＯＭ３２が接続している。また、ＣＰＵ３１にはＩ／Ｏインターフェース３８が接続し、Ｉ／Ｏインターフェース３８には管理端末装置１００に接続するための店内ネットワーク１５０に接続する通信回路３７及びパチンコ機１の主制御基板４１の出力ポート５５と接続する入力ポート３６が接続している。さらに、ＣＰＵ３１には、監視用ＩＣタグ８６，監視用ＩＣタグ１８６へ監視用呼出波を送信し、監視用反射波を受信したり、鍵穴１２０に差し込まれた鍵１２１に備えられている認証用ＩＣタグ１２６へ認証用呼出波を送信し、認証用反射波を受信したりするためのＲＦ回路３５が接続している。さらに、ＲＦ回路３５には監視用アンテナ６８，監視用アンテナ１６８及び認証用アンテナ１２８が接続している。監視用アンテナ６８は監視用ＩＣタグ８６と通信をし、監視用アンテナ１６８は監視用ＩＣタグ１８６と通信をし、認証用アンテナ１２８は認証用ＩＣタグ１２６と通信をする。尚、監視用アンテナ６８，監視用アンテナ１６８及び認証用アンテナ１２８は、 パチンコ機１に設置されている。
【００３１】
次に、図５及び図６を参照して監視用ＩＣタグ８６の構造について説明する。図５は、監視用ＩＣタグ８６の平面図である。図６は、監視用ＩＣタグ８６の電気的回路構成を示すブロック図である。監視用ＩＣタグ８６には、図６に示すように、Ｒ／Ｗユニット３０からの監視用呼出波に応答して監視用反射波を放出するＲＦ回路８６ａ、アンテナ８６ｂ、ＥＥＰＲＯＭ８６ｃが搭載されている。また、監視用ＩＣタグ８６は、図５に示すように、薄いフレキシブルプリント基板上にアンテナ８６ｂ及びＩＣチップ８６ｄが設けられており、ＩＣチップ８６ｄには、ＲＦ回路８６ａとＥＥＰＲＯＭ８６ｃとが一体となって構成されている。さらに、ＥＥＰＲＯＭ８６ｃには、監視用ＩＣタグ８６を他の監視用ＩＣタグから識別するための識別情報であるＩＤコードが上書消去禁止区域に記憶されている。
【００３２】
Ｒ／Ｗユニット３０から監視用アンテナ６８を介して監視用呼出波が送られてくると、アンテナ８６ｂがこれを受信するが、この監視用呼出波には搬送波成分が含まれており、これを受信してＲＦ回路８６ａで整流して直流電圧を得る。従って、監視用ＩＣタグ８６は、電池や外部電源を使用せずに必要な時にいつでもデータを発信することができる。データの発信は、ＥＥＰＲＯＭ８６ｃからＩＤコードを読み出して監視用反射波に乗せ、ＲＦ回路８６ａから監視用アンテナ６８に向けて送信する。
【００３３】
尚、監視用ＩＣタグ８６と監視用ＩＣタグ１８６とは、同様の構造をしており、監視用ＩＣタグ１８６もＲＦ回路、アンテナ、ＥＥＰＲＯＭを搭載し、薄いフレキシブルプリント基板上にアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１８６を他の監視用ＩＣタグから識別するための識別情報であるＩＤコードが上書消去禁止区域に記憶されている。
【００３４】
次に、図７を参照して基板ボックス８０を監視するために、基板ボックス８０に備えられた監視用ＩＣタグ８６及び監視用アンテナ６８について説明する。図７は基板ボックス８０の斜視図である。尚、被監視部材である基板ボックス８０に貼り付けられた監視用ＩＣタグ８６の貼り付け位置を示す位置特定符号を、本実施の形態では「ＢＯＸ」とする。
【００３５】
図７に示すように、基板ボックス８０は、透明な樹脂製の平面視略長方形の上蓋部８０ａと、同じく透明な樹脂製の平面視略長方形の下蓋部８０ｃとから構成されている。また、上蓋部８０ａに対向する下蓋部８０ｃ上には、パチンコ機１の主制御を司る主制御基板４１が配置されている。そして、上蓋部８０ａの裏面側には、小型で長方形の監視用ＩＣタグ８６（図５参照）が接着剤等で接着されている。主制御基板４１の右下端部には、切り欠きが設けられ、その切り欠き位置には監視用ＩＣタグ８６と電磁波によるＲＦ送受信を行うためのコイル状の監視用アンテナ６８が下蓋部８０ｃに設けられ、監視用アンテナ６８は同軸ケーブルによりＲ／Ｗユニット３０に接続されている。
【００３６】
尚、本実施形態において、監視用ＩＣタグ８６と監視用アンテナ６８は、１３．５６ＭＨｚの短波帯で通信を行っている。この周波数での通信はノイズによる影響を受けにくいので、パチンコ機１の設置環境に適している。監視用アンテナ６８と監視用ＩＣタグ８６との距離は、上蓋部８０ａと下蓋部８０ｃを組み付けた状態で約３ｍｍになるように配置されている。この距離間ではＲＦ送受信が可能であり監視用アンテナ６８を介したＲ／Ｗユニット３０からの呼び出しに監視用ＩＣタグ８６が応答することができ、監視用アンテナ６８と監視用ＩＣタグ８６との距離が約５ｍｍを超えると通信不能となるように設定されている。この通信可能距離は、監視用アンテナ６８のコイルの巻き数やリアクタンス値により調節が可能である。このように通信可能距離を設定することにより、上蓋部８０ａのわずかな隙間の開放であっても検知することができ、また、振動等によるわずかな揺れでは通信不能とならないように調整されている。また、上述したように、この周波数帯での通信はノイズによる影響を受けにくいが、他の電磁波を使用する部材からのノイズの影響による誤動作を少しでも防ぐために、監視用ＩＣタグ８６や監視用アンテナ６８は、ソレノイドを使用している賞品払出装置や発射モータから離した位置である主制御基板４１の右下端部に配置している。
【００３７】
次に、図８を参照して、所定条件の成立により開閉扉１６ａを開閉する可変入賞装置の一種である大入賞口１６が設けられているアタッカ部材１６０への監視用ＩＣタグ１８６の設置について説明する。図８は、開閉扉１６ａが開放されている状態のアタッカ部材１６０の斜視図である。尚、被監視部材である大入賞口１６の開閉扉１６ａに貼り付けられた監視用ＩＣタグ１８６の貼り付け位置を示す位置特定符号を、本実施の形態では「ＤＡＩ」とする。
【００３８】
図８に示すように、アタッカ部材１６０の開閉扉１６ａの表面には、前述した監視用ＩＣタグ１８６（図５参照）が貼り付けられ、さらに監視用ＩＣタグ１８６を覆うように装飾シール等が貼付されて遊技者からは見えないようになっている。また、アタッカ部材１６０の開口部１６ｂである大入賞口１６の周囲には、監視用ＩＣタグ１８６を囲むようにループ形状の監視用アンテナ１６８が設けられ、監視用アンテナ１６８は同軸ケーブルによりＲ／Ｗユニット３０に接続されている。
【００３９】
この監視用ＩＣタグ１８６は、送受信方向に指向性があり、監視用アンテナ１６８と平行に位置した場合のみ送受信可能である。大入賞口１６の閉鎖状態では、開閉扉１６ａが大入賞口１６の開口部１６ｂを塞いでおり、監視用ＩＣタグ１８６と監視用アンテナ１６８はほぼ同一平面上に位置しているので、送受信可能であり、監視用アンテナ１６８を介したＲ／Ｗユニット３０からの監視用呼出波に対して監視用ＩＣタグ１８６から監視用反射波が返される。一方、図８に示すように開閉扉１６ａが開くと、監視用ＩＣタグ１８６と監視用アンテナ１６８とは平行でなくなり、通信可能な臨界角度を超えるので、監視用ＩＣタグ１８６はＲ／Ｗユニット３０からの呼び出しに応答できなくなる。
【００４０】
また、監視用アンテナ１６８と監視用ＩＣタグ１８６間の通信も１３．５６ＭＨｚの短波帯で行われており、この周波数帯での通信はノイズによる影響を受けにくいが、他の電磁波を使用する部材からのノイズの影響による誤動作を少しでも防ぐために、開閉扉１６ａの動作を制御する大入賞口開放ソレノイド７０は、監視用ＩＣタグ１８６や監視用アンテナ１６８から離したアタッカ部材１６０の左奥に配置されている。
【００４１】
次に、鍵１２１の構造について図９を用いて説明する。図９は、鍵１２１の平面図である。図９に示すように、鍵１２１は、把持部１２２のカバー内部に認証用ＩＣタグ１２６が埋め込まれている。この鍵１２１は、パチンコ機１の前面枠１１１及び本体枠１１０の開閉に使用される。尚、この鍵１２１が「認証部材」に相当する。認証用ＩＣタグ１２６を鍵１２１に埋め込み、パチンコ機１を認証状態とする認証部材と、パチンコ機１の前面枠１１１及び本体枠１１０の開閉させる鍵とを共用させることにより、遊技場の係員はパチンコ機１の鍵と認証部材とを別々に管理する必要がない。
【００４２】
尚、認証用ＩＣタグ１２６は、把持部１２２のカバー内部に埋め込むために、細い円筒型（スティック型）に形成されている。また、その電気的回路構成は、監視用ＩＣタグ８６及び監視用ＩＣタグ１８６と同様で、認証用ＩＣタグ１２６もＲＦ回路、アンテナ、ＥＥＰＲＯＭを搭載している。円筒中にはアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１２６を他のＩＣタグと識別するための識別情報であるＩＤコードが上書消去禁止区域に記憶されている。また、この鍵１２１は複数存在してもよい。ただし、鍵１２１が複数存在する場合には、各鍵１２１に埋め込まれている認証用ＩＣタグ１２６のＩＤコードは、各認証用ＩＣタグ１２６毎に異なる。
【００４３】
3.管理端末装置の説明
次に、管理端末装置１００の構成について図１０を参照して説明する。図１０は、管理端末装置１００の正面図である。管理端末装置１００は、遊技機設置島２００の一端に取り付けられており、店内ネットワーク１５０を介して、各パチンコ機１に備えられたＲ／Ｗユニット３０に接続している。Ｒ／Ｗユニット３０がパチンコ機１に備えられた監視用ＩＣタグを監視し、エラーを検知した場合には、そのエラー情報がＲ／Ｗユニット３０から管理端末装置１００へ送信されてくるので、管理端末装置１００はエラーを報知する。
【００４４】
図１０に示すように、管理端末装置１００は、上部に警告ランプ１０９を備えている。また、正面には表示画面１０１を備え、表示画面１０１の右側には上から監視ボタン１０３、監視履歴ボタン１０４、設定履歴ボタン１０５、設定ボタン１０６及び停止ボタン１０２を備え、正面下側には、入力キー１０７、矢印キー１０８が備えられている。
【００４５】
また、表示画面１０１に表示される画面は、監視ボタン１０３、監視履歴ボタン１０４及び設定履歴ボタン１０５、設定ボタン１０６を押下することにより、切り替えることができる。監視ボタン１０３を押下すると、監視モード画面が表示され、監視履歴ボタン１０４を押下すると、監視履歴モード画面が表示され、設定履歴ボタン１０５を押下すると、設定履歴モード画面が表示され、設定ボタン１０６が押下されると設定モード画面が表示される。尚、起動時には、監視モード画面が表示されている。
【００４６】
監視モード画面では、管理端末装置１００に接続されているパチンコ機１のいずれかで基板ボックス８０及び大入賞口１６の不正開放が検出され、不正開放データがＲ／Ｗユニット３０から送信されてきた場合には、「１０４番台  大入賞口１６不正開放！！  １１：４０：２２」等のパチンコ機１の台番号、不正内容及び不正発生時刻が表示される。不正が発生していない場合には、「現在、正常稼働中」の表示がなされている。複数の不正が同時に発生した場合には、それらの報知画面が所定時間ごと、例えば５秒毎に切り替わり、繰り返し表示される。また、不正開放データがパチンコ機１のＲ／Ｗユニット３０から送信されてきた場合には、警告ランプ１０９が点灯し、遊技場の係員の注意を喚起するようになっており、停止ボタン１０２の押下により消灯させることができる。また、入力キー１０７及び矢印キー１０８は表示画面１０１に表示された画面を操作する際に用いられる。
【００４７】
また、設定モード画面では、監視用ＩＣタグ８６及び監視用ＩＣタグ１８６についての登録情報や、認証用ＩＣタグ１２６についての認証用登録情報の設定を行ったりすることができる。また、監視履歴モード画面では、各パチンコ機１に備えられたＲ／Ｗユニット３０が基板ボックス８０及び大入賞口１６を監視した結果である監視情報が時系列に監視履歴情報として表示される。また、設定履歴モード画面では、設定モード画面を用いて行われた監視用ＩＣタグ８６、監視用ＩＣタグ１８６及び認証用ＩＣタグ１２６についての設定の情報が時系列に設定履歴情報として表示される。
【００４８】
図１０に示す例では、監視モード画面が表示されており、エラー１、エラー２、エラー３の３つの不正が発生し、エラー２の内容を示す画面が表示されている。エラー２は、１０４番台で大入賞口１６の不正開放が１１時４０分２２秒に発生している。
【００４９】
次に、管理端末装置１００の電気的構成について図１１を参照して説明する。図１１は管理端末装置１００の電気的構成を示すブロック図である。図１１に示すように、管理端末装置１００は、各種の演算を行うＣＰＵ９８が設けられ、ＣＰＵ９８には、フラグやデータ等を一時的に記憶するＲＡＭ１１３と、制御プログラム及び各種の初期値のデータ等を記憶したＲＯＭ９７と、監視情報、設定履歴情報、登録情報及び認証用登録情報等を記憶したＥＥＰＲＯＭ１１４と、Ｉ／Ｏインターフェース９９とが接続している。
【００５０】
また、Ｉ／Ｏインターフェース９９には、警告ランプ１０９、表示画面１０１、監視ボタン１０３、監視履歴ボタン１０４、設定履歴ボタン１０５、設定ボタン１０６、停止ボタン１０２、入力キー１０７及び矢印キー１０８が備えられている。さらに、Ｉ／Ｏインターフェース９９は通信回路１１７を介して店内ネットワーク１５０に接続している。
【００５１】
4.ＩＣタグ監視装置での監視に関するデータの説明
次に、図１２乃至図１５を参照して、Ｒ／Ｗユニット３０がパチンコ機１に取り付けられた監視用ＩＣタグ８６及び監視用ＩＣタグ１８６を監視する監視処理で使用されるデータの構造について説明する。図１２は、Ｒ／Ｗユニット３０のＥＥＰＲＯＭ３２の登録情報記憶エリアに記憶されている登録情報３２１の模式図である。図１３は、Ｒ／Ｗユニット３０のＲＡＭ３３の監視処理使用データ記憶エリアに記憶されている監視処理使用データ３３１の模式図である。図１４は、Ｒ／Ｗユニット３０のＥＥＰＲＯＭ３２の認証用登録情報記憶エリアに記憶されている認証用登録情報３２２の模式図である。図１５は、Ｒ／Ｗユニット３０のＥＥＰＲＯＭ３２の監視情報記憶エリアに記憶されている監視情報３２３の模式図である。
【００５２】
まず、図１２を参照して、Ｒ／Ｗユニット３０のＥＥＰＲＯＭ３２の登録情報記憶エリアに記憶されている登録情報３２１について説明する。登録情報３２１には、基板ボックス８０及び大入賞口１６を監視するための情報が登録されている。登録情報３２１は、監視される位置毎に１つの登録データが登録されており、図１２に示すようにデータ番号欄３２１ａ、位置特定符号欄３２１ｂ及びＩＤコード欄３２１ｃが設けられている。
【００５３】
データ番号欄３２１ａには、登録データのデータ番号が「１」から順に振られている。位置特定符号欄３２１ｂには、その登録データがパチンコ機１の被監視部材のどの位置を監視するためのものであるかを特定するための位置特定符号が英数字で登録されている。登録データは１つの被監視部材の被監視位置に付き１つしか登録されないので、異なる登録データに同じ位置特定符号が記憶されることはない。ＩＤコード欄３２１ｃには、被監視位置に貼り付けられている監視用ＩＣタグに記憶されているＩＤコードが登録されている。
【００５４】
図１２に示す例では、データ番号欄３２１ａが「１」である登録データの位置特定符号欄３２１ｂには「ＢＯＸ」、ＩＤコード欄３２１ｃには「１５５７００１Ｈ」が登録されている。尚、位置特定符号「ＢＯＸ」は基板ボックス８０を示している。また、データ番号欄３２１ａが「２」である登録データの位置特定符号欄３２１ｂには「ＤＡＩ」、ＩＤコード欄３２１ｃには「００１１Ｎ２２１」が登録されている。尚、位置特定符号「ＤＡＩ」は大入賞口１６を示している。
【００５５】
次に、図１３を参照してＲ／Ｗユニット３０のＲＡＭ３３の監視処理使用データ記憶エリアに記憶されている監視処理使用データ３３１について説明する。監視処理使用データ３３１には、基板ボックス８０及び大入賞口１６を監視する際に使用されるカウンタが記憶されている。図１３に示すように、監視処理使用データ３３１には、データ番号欄３３１ａ及び消失フラグ欄３３１ｂが設けられている。尚、監視処理使用データ３３１のデータ番号欄３３１ａは、登録情報３２１のデータ番号欄３２１ａに記憶されているデータ番号と対応している。つまり、登録情報３２１のデータ番号欄３２１ａが「１」である被監視部材を監視する際には、監視処理使用データ３３１のデータ番号欄３３１ａが「１」である消失フラグが使用される。
【００５６】
データ番号欄３３１ａには、データ番号が「１」から順に振られている。消失フラグ欄３３１ｂには、被監視位置に貼り付けられた監視用ＩＣタグに監視用呼出波を送信した際に監視用反射波が返されてこなかった場合に、「消失エラー」となり、「１」がセットされて「ＯＮ」状態となる。消失エラーが発生していない状態では「ＯＦＦ」状態で「０」がセットされている。図１３に示す例では、データ番号欄３３１ａが「１」である登録データの消失フラグ欄３３１ｂには「０」がセットされている。データ番号欄３３１ａが「２」である登録データの消失フラグ欄３３１ｂには「０」がセットされている。
【００５７】
次に、図１４を参照して、Ｒ／Ｗユニット３０のＥＥＰＲＯＭ３２の認証用登録情報記憶エリアに記憶されている認証用登録情報３２２について説明する。認証用登録情報３２２には、認証用ＩＣタグ１２６を識別するための識別情報であるＩＤコードが登録されている。ここに登録されているＩＤコードを記憶している認証用ＩＣタグ１２６を埋め込んだ鍵１２１を使用することにより、パチンコ機１を認証状態とすることができる。図１４に示すように、認証用登録情報３２２には、ＩＤコード１欄、ＩＤコード２欄、ＩＤコード３欄、ＩＤコード４欄、ＩＤコード５欄、ＩＤコード６欄、ＩＤコード７欄、及び、ＩＤコード８欄の８つの欄が設けられている。ＩＤコード１欄〜ＩＤコード８欄には、鍵１２１に埋め込まれている認証用ＩＣタグ１２６に記憶されているＩＤコードが記憶されている。遊技場内においては、例えば店員の数分だけ、鍵１２１が複数存在することも考えられるので、ＩＤコード１欄〜ＩＤコード８欄の８つの欄が設けられている。すなわち、本実施の形態では、８つの鍵１２１を登録することができる。
【００５８】
図１４に示す例では、ＩＤコード１欄には「１６１７４０９８」、Ｉ、ＩＤコード２欄には「ＦＴ１７６４９５」、ＩＤコード３欄には「０００８３０８２」が登録されており、ＩＤコード４欄、ＩＤコード５欄、ＩＤコード６欄、ＩＤコード７欄及びＩＤコード８欄には登録されていない。
【００５９】
次に、図１５を参照してＲ／Ｗユニット３０のＥＥＰＲＯＭ３２の監視情報記憶エリアに記憶されている監視情報３２３について説明する。この監視情報３２３には、基板ボックス８０及び大入賞口１６を監視した結果、異常が発生していたり、異常が回復していたりした際にその監視データが追加記憶される。図１５に示すように、監視情報３２３には、日付欄３２３ａ、時刻欄３２３ｂ、位置特定符号欄３２３ｃ及び内容欄３２３ｄが設けられている。日付欄３２３ａには、監視データが作成された日付がセットされ、時刻欄３２３ｂには、監視データが作成された時刻がセットされる。異常が発生した場合には発生日付及び発生時刻であり、異常が回復した場合に回復日付及び回復時刻となる。位置特定符号欄３２３ｃには、異常が発生した監視用ＩＣタグが設置されている位置を示す位置特定符号がセットされ、内容欄３２３ｄには、異常が発生したのか、回復したのかの内容がコードでセットされており、「１」は所定時間内に監視用反射波が返送されてこなかった消失エラーが発生したことを示し、「２」は消失エラーが回復したことを示している。
【００６０】
図１５に示す例では、１番目の監視データは、日付欄３２３ａに「２００２．１０．１６」、時刻欄３２３ｂに「２０：３０：１５」、位置特定符号欄３２３ｃに「ＤＡＩ」、内容欄３２３ｄに「１」がセットされているので、２００２年１０月１６日の２０時３０分１５秒に大入賞口１６の開閉扉１６ａに設置されている監視用ＩＣタグ１８６に消失エラーが発生したことを示している。２番目の監視データは、日付欄３２３ａに「２００２．１０．１６」、時刻欄３２３ｂに「２０：３１：１９」、位置特定符号欄３２３ｃに「ＤＡＩ」、内容欄３２３ｄに「２」がセットされているので、２００２年１０月１６日の２０時３１分１９秒に大入賞口１６の開閉扉１６ａに設置されている監視用ＩＣタグ１８６に発生していた消失エラーが回復したことを示している。３番目の監視データは、日付欄３２３ａに「２００２．１０．２２」、時刻欄３２３ｂに「３：１５：２４」、位置特定符号欄３２３ｃに「ＢＯＸ」、内容欄３２３ｄに「１」がセットされているので、２００２年１０月２２日の３時１５分２４秒に基板ボックス８０に設置されている監視用ＩＣタグ８６に消失エラーが発生したことを示している。４番目の監視データは、日付欄３２３ａに「２００２．１０．２２」、時刻欄３２３ｂに「３：１８：４０」、位置特定符号欄３２３ｃに「ＢＯＸ」、内容欄３２３ｄに「２」がセットされているので、２００２年１０月２２日の３時１８分４０秒に基板ボックス８０に設置されている監視用ＩＣタグ８６に発生していた消失エラーが回復したことを示している。５番目の監視データは、日付欄３２３ａに「２００２．１０．２６」、時刻欄３２３ｂに「２：４０：５４」、位置特定符号欄３２３ｃに「ＢＯＸ」、内容欄３２３ｄに「１」がセットされているので、２００２年１０月２６日の２時４０分５４秒に基板ボックス８０に設置されている監視用ＩＣタグ８６に消失エラーが発生したことを示している。６番目の監視データは、日付欄３２３ａに「２００２．１０．２６」、時刻欄３２３ｂに「２：４５：１８」、位置特定符号欄３２３ｃに「ＢＯＸ」、内容欄３２３ｄに「２」がセットされているので、２００２年１０月２６日の２時４５分１８秒に基板ボックス８０に設置されている監視用ＩＣタグ８６に発生していた消失エラーが回復したことを示している。
【００６１】
5.ＩＣタグ監視装置での監視動作に関する説明＜動作例１＞
次にＩＣタグ監視装置での監視動作の＜動作例１＞についてフローチャートを用いて具体的に説明する。＜動作例１＞では、パチンコ機１が認証状態である場合に、Ｒ／Ｗユニット３０が監視用呼出波の送信を停止する。図１６は、Ｒ／Ｗユニット３０で行われるメイン処理のフローチャートである。Ｒ／Ｗユニット３０は、このメイン処理の中で監視用ＩＣタグの監視処理を行っている。図１７は、Ｒ／Ｗユニット３０で行われるメイン処理の中で行われる＜動作例１＞の監視処理のフローチャートである。
【００６２】
まず、図１６を参照してメイン処理について説明する。このメイン処理では、監視用アンテナから監視用呼出波を送信して、被監視部材に設置されている監視用ＩＣタグの監視をする監視処理を行い、認証用アンテナから認証用呼出波を送信して、パチンコ機１を認証状態とするか否かの処理をする認証処理を行う。尚、このメイン処理は、Ｒ／Ｗユニット３０に電源が投入され、起動処理が終了した後に開始され、Ｒ／Ｗユニット３０の電源がＯＮである間継続して実施される。Ｒ／Ｗユニット３０は、パチンコ機１の電源基板から電源の供給を受けていないため、夜間にパチンコ機１の電源をＯＦＦしたとしても、電源断とはならず処理は中断されないため、夜間にも監視を続けることができる。
【００６３】
まず、データ番号カウンタｎに初期値の「０」をセットする（Ｓ１）。このデータ番号カウンタｎは、図１２に示す登録情報３２１のデータ番号をカウントするためのカウンタであり、データカウンタｎ番目の登録データに登録されている位置特定符号が示している被監視位置の監視が行われる。次いで、データ番号カウンタｎに「１」を加算し（Ｓ２）、データ番号カウンタｎの値が登録情報３２１のデータ数である「２」よりも大きいか否かを確認する（Ｓ３）。データ番号カウンタｎの値が「２」よりも大きくなければ（Ｓ３：ＮＯ）、ｎ番目の登録情報３２１の登録データの位置特定符号欄３２１ｂに記憶されている位置特定符号が「ＤＡＩ」であるか否かを確認する（Ｓ４）。位置特定符合「ＤＡＩ」は、大入賞口１６の開閉扉１６ａを示しており、この開閉扉１６ａはパチンコ機１が大当たり中であれば開放されるため、パチンコ機１が大当たり中には開閉扉１６ａの開放を監視する必要はない。そこで、位置特定符号が「ＤＡＩ」である場合には（Ｓ４：ＹＥＳ）、パチンコ機１が大当たり中であるか否かを確認し（Ｓ５）、大当たり中である場合には（Ｓ５：ＹＥＳ）、何もせずにＳ２へ戻る。大当たり中であるか否かの判断は、大当たりフラグにより行う。この大当たりフラグは主制御基板４１からの信号の受信により、ＯＦＦ／ＯＮが行われる。大当たり中でない場合には（Ｓ５：ＮＯ）、位置特定符号が「ＤＡＩ」である被監視位置、すなわち大入賞口１６の開閉扉１６ａの監視処理行う（Ｓ６）。また、ｎ番目の位置特定符号が「ＤＡＩ」でない場合には（Ｓ４：ＮＯ）、必ず監視が行われるので、Ｓ６へ進み、ｎ番目の登録情報３２１の登録データに記憶された位置への監視処理を行う。監視処理終了後には、Ｓ２へ戻る。
【００６４】
続いて、データ番号カウンタｎに「１」を加算する（Ｓ２）。そして、データ番号カウンタｎの値が「２」よりも大きれば（Ｓ３：ＹＥＳ）、認証用アンテナ１２８から認証用呼出波の送信を行う（Ｓ７）。次いで、所定時間内に認証用ＩＣタグ１２６から認証用反射波の返送があるか否かを確認する（Ｓ８）。ここで、所定時間は例えば１０ミリ秒とする。認証用反射波の返送がない場合には（Ｓ８：ＮＯ）、認証用ＩＣタグ１２６が埋め込まれた鍵１２１が鍵穴１２０に差し込まれていないということなので、認証フラグに「０」をセットして「ＯＦＦ」とし（Ｓ１１）、Ｓ１へ戻る。認証用反射波の返送がある場合には（Ｓ８：ＹＥＳ）、認証用反射波に含まれているＩＤコードが予め認証用登録情報３２２に登録されているか否かを確認する（Ｓ９）。ここでは、認証用反射波に含まれているＩＤコードを、認証用登録情報３２２に記憶されているＩＤコードと１つずつ比較し、一致しているか確認する。一致するＩＤコードがなければ、そのＩＤコードは予め登録されていないので（Ｓ９：ＮＯ）、正規の鍵１２１でない鍵１２１が鍵穴１２０に差し込まれているということになるので、認証フラグに「０」をセットして「ＯＦＦ」として否認証状態として（Ｓ１１）、処理を終了する。
【００６５】
一致しているＩＤコードがあれば、そのＩＤコードは予め登録されているものであるので（Ｓ９：ＹＥＳ）、認証フラグに「１」をセットして「ＯＮ」として認証状態として（Ｓ１０）、Ｓ１へ戻る。以上の処理繰り返し実施することにより、継続して監視処理及び認証処理が行われる。
【００６６】
次いで、図１７を参照してメイン処理の中で行われる監視処理（図１６：Ｓ８）についてフローチャートを用いて説明する。この監視処理は、データ番号がメイン処理中で更新されるデータ番号カウンタｎの値である登録情報３２１の登録データの位置特定符号欄３２１ｂに記憶されている位置特定符号が示す被監視位置を監視するための監視用アンテナから、監視用呼出波を送信することにより基板ボックス８０及び大入賞口１６の開放を監視する。
【００６７】
まず、認証フラグに「１」がセットされ、「ＯＮ」となっているか否かを確認する（Ｓ２０）。「ＯＮ」となっている場合には（Ｓ２０：ＹＥＳ）、監視を行わないので、処理を終了する。「ＯＮ」となっていない場合には（Ｓ２０：ＮＯ）、ｎ番目の位置特定符号欄３２１ｂに記憶されている位置特定符号が示す位置を監視するために設けられている監視用アンテナから監視用呼出波を送信する（Ｓ２１）。この監視用アンテナは、位置特定符号が「ＤＡＩ」である場合には監視用アンテナ１６８であり、位置特定符号が「ＢＯＸ」である場合には監視用アンテナ６８である。次いで、監視用ＩＣタグから監視用反射波の返送が所定時間内にあるか否かを確認する（Ｓ２２）。本実施の形態では、この所定時間は例えば１０ミリ秒とする。
【００６８】
所定時間内に監視用反射波の返送がない場合には（Ｓ２２：ＮＯ）、監視用ＩＣタグが監視用アンテナと通信できない位置にある、すなわち監視用ＩＣタグが設置されている部材が不正に開放されていると考えられる。そこで、まず監視処理使用データ３３１のｎ番目の消失フラグ欄３３１ｂに「１」がセットされて「ＯＮ」となっているか否かを確認する（Ｓ２３）。ｎ番目の消失フラグ欄３３１ｂに「１」がセットされて「ＯＮ」となっている場合には（Ｓ２３：ＹＥＳ）、すでにこの不正開放が検知され、監視データが監視情報に記憶されているので、再度監視データを作成しないために何もせずに処理を終了する。ｎ番目の消失フラグ欄３３１ｂに「１」がセットされて「ＯＮ」となっていない場合には（Ｓ２３：ＮＯ）、今回の監視にて初めてこの不正開放が検知されたので、監視処理使用データ３３１のｎ番目の消失フラグ欄３３１ｂに「ＯＮ」をセットする（Ｓ２４）。そして、監視情報３２３へ消失エラー発生の監視データを追加記憶し（Ｓ２５）、管理端末装置１００へ新しい監視データを送信して（Ｓ２６）、処理を終了する。
【００６９】
所定時間内に監視用反射波の返送があった場合には（Ｓ２２：ＹＥＳ）、被監視位置に備えられた監視用ＩＣタグは正常である。そこで、監視処理使用データ３３１のｎ番目の消失フラグ欄３３１ｂに「１」がセットされて「ＯＮ」となっているか否かを確認する（Ｓ２７）。「ＯＮ」である場合には（Ｓ２７：ＹＥＳ）、消失エラーから回復したのでｎ番目の消失フラグ欄３３１ｂに「０」をセットして「ＯＦＦ」とし（Ｓ２８）、監視情報へ消失エラー回復の監視データを追加記憶し（Ｓ２９）、監視データを管理端末装置１００へ送信して（Ｓ３０）、処理を終了する。「ＯＮ」でない場合には（Ｓ２７：ＮＯ）、何もせずに、処理を終了する。
【００７０】
6.ＩＣタグ監視装置での監視動作に関する説明＜動作例２＞
次にＩＣタグ監視装置での監視動作の＜動作例２＞についてフローチャートを用いて具体的に説明する。＜動作例２＞では、パチンコ機１が認証状態である場合に、Ｒ／Ｗユニット３０が監視データの記憶を行わないようにする。メイン処理については、＜動作例１＞と同様の処理である（図１６参照）。図１８は、Ｒ／Ｗユニット３０で行われるメイン処理の中で行われる＜動作例２＞の監視処理のフローチャートである。
【００７１】
まず、ｎ番目の位置特定符号欄３２１ｂに記憶されている位置特定符号が示す位置を監視するために設けられている監視用アンテナから監視用呼出波を送信する（Ｓ５１）。この監視用アンテナは、位置特定符号が「ＤＡＩ」である場合には監視用アンテナ１６８であり、位置特定符号が「ＢＯＸ」である場合には監視用アンテナ６８である。次いで、監視用ＩＣタグから監視用反射波の返送が所定時間内にあるか否かを確認する（Ｓ５２）。本実施の形態では、この所定時間は例えば１０ミリ秒とする。
【００７２】
所定時間内に監視用反射波の返送がない場合には（Ｓ５２：ＮＯ）、監視用ＩＣタグが監視用アンテナと通信できない位置にある、すなわち監視用ＩＣタグが設置されている部材が不正に開放されていると考えられる。そこで、まず監視処理使用データ３３１のｎ番目の消失フラグ欄３３１ｂに記憶されている消失フラグに「１」がセットされて「ＯＮ」となっているか否かを確認する（Ｓ５３）。消失フラグに「１」がセットされて「ＯＮ」となっている場合には（Ｓ５３：ＹＥＳ）、すでにこの不正開放が検知され、監視データが監視情報に記憶されているので、再度監視データを作成しないために何もせずに処理を終了する。消失フラグに「１」がセットされて「ＯＮ」となっていない場合には（Ｓ５３：ＮＯ）、今回の監視にて初めてこの不正開放が検知されたので、監視処理使用データ３３１のｎ番目の消失フラグ欄３３１ｂに記憶されている消失フラグに「ＯＮ」をセットする（Ｓ５４）。そして、認証フラグに「１」がセットされて「ＯＮ」となっているか否かを確認する（Ｓ５５）。認証フラグが「ＯＮ」となっている場合には（Ｓ５５：ＹＥＳ）、認証状態であるので、監視情報を記憶しないのでそのまま処理を終了する。認証フラグが「ＯＮ」となっていない場合には（Ｓ５５：ＮＯ）、認証状態でないので監視情報へ消失エラー発生の監視データを追加記憶し（Ｓ５６）、管理端末装置１００へ監視データを送信して（Ｓ５７）、処理を終了する。
【００７３】
所定時間内に監視用反射波の返送があった場合には（Ｓ５２：ＹＥＳ）、被監視位置に備えられた監視用ＩＣタグは正常である。そこで、監視処理使用データ３３１のｎ番目の消失フラグ欄３３１ｂ「１」がセットされて「ＯＮ」となっているか否かを確認する（Ｓ５８）。「ＯＮ」である場合には（Ｓ５８：ＹＥＳ）、消失エラーから回復したのでｎ番目の消失フラグ欄３３１ｂに「０」をセットして「ＯＦＦ」とする（Ｓ５９）。そして、認証フラグに「１」がセットされて「ＯＮ」となっているか否かを確認する（Ｓ６０）。認証フラグが「ＯＮ」となっている場合には（Ｓ６０：ＹＥＳ）、認証状態となっているので、監視情報を記憶しないのでそのまま処理を終了する。認証フラグが「ＯＮ」となっていない場合には（Ｓ６０：ＮＯ）、認証状態でないので、監視情報へ消失エラー回復の監視データを追加記憶し（Ｓ６１）、監視データを管理端末装置１００へ送信して（Ｓ６２）、処理を終了する。「ＯＮ」でない場合には（Ｓ５８：ＮＯ）、何もせずに、処理を終了する。
【００７４】
7.ＩＣタグ監視装置での監視動作に関する説明＜動作例３＞
次にＩＣタグ監視装置での監視動作の＜動作例３＞についてフローチャートを用いて具体的に説明する。＜動作例３＞では、パチンコ機１が認証状態である場合に、Ｒ／Ｗユニット３０が監視データを管理端末装置１００へ送信しないようにする。メイン処理については、＜動作例１＞と同様の処理である（図１６参照）。図１９は、Ｒ／Ｗユニット３０で行われるメイン処理の中で行われる＜動作例３＞の監視処理のフローチャートである。
【００７５】
まず、ｎ番目の位置特定符号欄３２１ｂに記憶されている位置特定符号が示す位置を監視するために設けられている監視用アンテナから監視用呼出波を送信する（Ｓ８１）。この監視用アンテナは、位置特定符号が「ＤＡＩ」である場合には監視用アンテナ１６８であり、位置特定符号が「ＢＯＸ」である場合には監視用アンテナ６８である。次いで、監視用ＩＣタグから監視用反射波の返送が所定時間内にあるか否かを確認する（Ｓ８２）。本実施の形態では、この所定時間は例えば１０ミリ秒とする。
【００７６】
所定時間内に監視用反射波の返送がない場合には（Ｓ８２：ＮＯ）、監視用ＩＣタグが監視用アンテナと通信できない位置にある、すなわち監視用ＩＣタグが設置されている部材が不正に開放されていると考えられる。そこで、まず監視処理使用データ３３１のｎ番目の消失フラグ欄３３１ｂに記憶されている消失フラグに「１」がセットされて「ＯＮ」となっているか否かを確認する（Ｓ８３）。消失フラグに「１」がセットされて「ＯＮ」となっている場合には（Ｓ８３：ＹＥＳ）、すでにこの不正開放が検知され、監視データが監視情報に記憶されているので、再度監視データを作成しないために何もせずに処理を終了する。消失フラグに「１」がセットされて「ＯＮ」となっていない場合には（Ｓ８３：ＮＯ）、今回の監視にて初めてこの不正開放が検知されたので、監視処理使用データ３３１のｎ番目の消失フラグ欄３３１ｂに記憶されている消失フラグに「ＯＮ」をセットし（Ｓ８４）、監視情報へ消失エラー発生の監視データを追加記憶する（Ｓ８５）。そして、認証フラグに「１」がセットされて「ＯＮ」となっているか否かを確認する（Ｓ８６）。認証フラグが「ＯＮ」となっている場合には（Ｓ８６：ＹＥＳ）、認証状態となっているので、監視情報を管理端末装置１００へ送信しないのでそのまま処理を終了する。認証フラグが「ＯＮ」となっていない場合には（Ｓ８６：ＮＯ）認証状態でないので、管理端末装置１００へ監視データを送信して（Ｓ８７）、処理を終了する。
【００７７】
所定時間内に監視用反射波の返送があった場合には（Ｓ８２：ＹＥＳ）、被監視位置に備えられた監視用ＩＣタグは正常である。そこで、監視処理使用データ３３１のｎ番目の消失フラグ欄３３１ｂに「１」がセットされて「ＯＮ」となっているか否かを確認する（Ｓ８８）。「ＯＮ」である場合には（Ｓ８８：ＹＥＳ）、消失エラーから回復したのでｎ番目の消失フラグ欄３３１ｂに「０」をセットして「ＯＦＦ」とし（Ｓ８９）、監視情報へ消失エラー回復の監視データを追加記憶する（Ｓ９０）。そして、認証フラグに「１」がセットされて「ＯＮ」となっているか否かを確認する（Ｓ９１）。認証フラグが「ＯＮ」となっている場合には（Ｓ９１：ＹＥＳ）、認証状態となっているので、監視情報を管理端末装置１００へ送信しないのでそのまま処理を終了する。認証フラグが「ＯＮ」となっていない場合には（Ｓ９１：ＮＯ）、認証状態でないので、監視データを管理端末装置１００へ送信して（Ｓ９２）、処理を終了する。ｎ番目の消失フラグ欄３３１ｂが「ＯＮ」でない場合には（Ｓ８８：ＮＯ）、なにもせずに、処理を終了する。
【００７８】
8.実施の形態と請求項との対比
尚、図６に示す監視用ＩＣタグ８６のＥＥＰＲＯＭ８６ｃや監視用ＩＣタグ１８６のＥＥＰＲＯＭが監視用ＩＣタグの「識別情報記憶手段」に相当する。
【００７９】
また、図１２に示す登録情報３２１が記憶されているＲ／Ｗユニット３０のＥＥＰＲＯＭ３２（図４参照）の登録情報記憶エリア及び図１４に示す認証用登録情報３２２が記憶されているＲ／Ｗユニット３０のＥＥＰＲＯＭ３２の認証用登録情報記憶エリアが「登録情報記憶手段」に相当し、図４に示すＲＦ回路３５及び監視用アンテナ６８、１６８が「監視用呼出波送信手段」及び「監視用反射波受信手段」に相当し、ＲＦ回路３５及び認証用アンテナ１２８が「認証用呼出波送信手段」及び「認証用反射波受信手段」に相当する。また、図１７に示す＜動作例１＞の監視処理のフローチャートのＳ２２の処理、図１８に示す＜動作例２＞の監視処理のフローチャートのＳ５２の処理、又は、図１９に示す＜動作例３＞の監視処理のフローチャートのＳ８２の処理を実施するＣＰＵ３１が「監視判定手段」として機能する。
【００８０】
また、図１５に示す監視情報３２３を記憶するＥＥＰＲＯＭ３２（図４参照）の監視情報記憶エリアが「監視情報記憶手段」に相当し、図１６に示すメイン処理のＳ８及びＳ９の処理を実施するＣＰＵ３１が「認証判定手段」として機能する。
【００８１】
また、図１７に示す＜動作例１＞の監視処理のフローチャートのＳ２１の処理を実行するＣＰＵ３１が「監視用呼出波送信制御手段」として機能し、Ｓ２０の処理を実施するＣＰＵ３１が「監視制御手段」として機能する。
【００８２】
また、図１８に示す＜動作例２＞の監視処理のフローチャートのＳ５５及びＳ６０の処理を実施するＣＰＵ３１が「記憶制御手段」として機能する。
【００８３】
また、図１９に示す＜動作例３＞の監視処理のフローチャートのＳ８７及びＳ９２の処理を実施するＣＰＵ３１が「監視情報出力手段」として機能し、Ｓ８６及びＳ９１の処理を実施するＣＰＵ３１が「出力制御手段」として機能する。
【００８４】
9.実施の形態の効果
以上説明したように、上記の実施の形態の監視システムでは、監視用ＩＣタグ８６，監視用ＩＣタグ１８６により基板ボックス８０及び大入賞口１６の開放を監視し、その監視情報をＲ／Ｗユニット３０に記憶することができる。また、Ｒ／Ｗユニット３０に記憶された監視情報は、遊技場内に設置された管理端末装置１００にも送信され、記憶される。また、管理端末装置１００からはホールコンピュータ３００へ監視情報が送られて、ホールコンピュータ３００で遊技場内の全てのパチンコ機１の監視情報を管理できるようになっている。
【００８５】
また、鍵１２１に認証用ＩＣタグ１２６が埋め込まれており、パチンコ機１の鍵穴１２０に正規の鍵１２１を差し込むことにより、パチンコ機１が認証状態となる。そして、＜動作例１＞においてはパチンコ機１が認証状態である場合には、監視用ＩＣタグの監視が中止され、＜動作例２＞においてはパチンコ機１が認証状態である場合には、監視情報が記憶させなくし、＜動作例３＞においてはパチンコ機１が認証状態である場合には、監視情報を外部へ出力させなくする。
【００８６】
10.変形例の説明
尚、本発明は、以上詳述した実施の形態に限定されるものではなく、種々の変更が可能である。以下に、本発明を適用する実施の形態の変形例について説明する。まず、本実施形態では遊技機の一種であるパチンコ機を例に挙げているが、装置は遊技機であるパチンコ機に限られず、パチコン機、パチスロ台等の各種の遊技機に適用可能である。
【００８７】
また、上記実施の形態では、移動を監視される被監視部材としてパチンコ機１の基板ボックス８０及び大入賞口１６を扱い、夫々一箇所に監視用ＩＣタグを設置したが、移動を監視される部材はこれに限らず、他の入賞口や普通図柄始動ゲート、センターカバー９０や各種基板に設置して、その開閉状態を監視してもよい。また、本体枠１１０、前面枠１１１又は機枠１１２に監視用ＩＣタグを備え、前面枠１１１と本体枠１１０、本体枠１１０と機枠１１２の開閉を監視してもよい。また、監視用ＩＣタグを設置する場所は各部材に一箇所である必要はなく、複数の位置に設置してもよい。さらに、装置がパチンコ機１でない場合にはもちろん、移動を監視される部材は上記実施の形態の部材に限らず、装置に備えられ、開閉が行われる開閉部材や装置を構成する構成部材であればよく、開閉部材の開閉や構成部材の所在を監視するために、１つ又は複数の監視用ＩＣタグを開閉部材や構成部材に設置して、その部材の移動を監視してもよい。
【００８８】
また、上記実施の形態では、絶えず監視用ＩＣタグへ監視用呼出波を送信しているが、登録情報に監視用呼出波の送信タイミングを記憶させ、その送信タイミングに従い、監視用呼出波を送信するようにしてもよい。例えば、５ミリ秒毎に監視用呼出波の送信を行うようにしたり、遊技が行われている場合には５ミリ秒毎に監視用呼出波を送信し、遊技が行われていない場合には２秒毎に監視用呼出波の送信を行うようにしたり、時間毎に監視用呼出波の送信間隔を設定したりしてもよい。同様に、認証用ＩＣタグへの認証用呼出波の送信タイミングを認証用登録情報に記憶させ、その送信タイミングに従い、認証用呼出波を送信するようにしてもよい。
【００８９】
また、上記実施の形態では、管理端末装置１００を夜間にも稼働させ、常時Ｒ／Ｗユニット３０から監視情報の送信を受けているが、管理端末装置１００の稼働形態はこれに限らず、夜間や休日（営業時間外）は管理端末装置１００の電源を切り、Ｒ／Ｗユニット３０に管理端末装置１００が稼働していない間の監視情報を記憶させ、管理端末装置１００起動後に送信させるようにしてもよい。
【００９０】
また、上記実施の形態では認証用登録情報３２２に記憶できる認証用ＩＣタグ１２６のＩＤコードを８個として扱ったが、これは８個に限らずそれ以上であっても、以下であってもよく、１つであってもよい。また、上記実施の形態では、認証用ＩＣタグ１２６を鍵１２１に埋め込ませたが、認証用ＩＣタグ１２６を備えた認証部材は必ずしも鍵１２１に埋め込まれている必要はなく、操作担当者の名札や身分証、制服、筆記用具等に埋め込まれていてもよく、また、認証部材として単独で存在していてもよく、形状もカード型のプラスチック板、指輪型、スティック型、布地への埋め込みなどでもよい。
【００９１】
【発明の効果】
以上、説明したように、請求項１に係る発明の遊技機では、遊技機のＩＣタグ監視装置は、大入賞口の開閉扉及び基板ボックスの上蓋部の少なくとも１つに備えた監視用ＩＣタグ及び認証部材に設けられた認証用ＩＣタグと通信を行い、監視用ＩＣタグの識別情報記憶手段は、他のＩＣタグと区別するための識別情報を記憶することができる。また、ＩＣタグ監視装置の登録情報記憶手段は、監視用ＩＣタグ及び認証用ＩＣタグの監視のための情報である登録情報を記憶し、監視用呼出波送信手段は、監視用ＩＣタグを呼び出す監視用呼出波を送信し、監視用反射波受信手段は、監視用ＩＣタグから返送される監視用反射波を受信し、監視用呼出波送信制御手段は、監視用呼出波の送信を制御し、監視判定手段は、監視用呼出波送信手段が監視用ＩＣタグに監視用呼出波を送信してから所定時間内に監視用反射波を監視用反射波受信手段が受信しなかった場合に異常と判定し、認証用呼出波送信手段は、認証用ＩＣタグを呼び出す認証用呼出波を送信し、認証用反射波受信手段は、認証用ＩＣタグから返送される認証用反射波を受信し、認証判定手段は、認証用反射波受信手段が、登録情報記憶手段に記憶されている登録情報の中の識別情報と同一の識別情報を含む認証用反射波を受信した場合に、遊技機を認証状態に移行させ、監視制御手段は、認証判定手段により装置が認証状態にされた場合に、監視用呼出波送信制御手段により監視用呼出波の送信を停止することができる。したがって、遊技機が認証状態である場合には、ＩＣタグ監視装置から監視用呼出波の送信を停止させることにより、監視用ＩＣタグの監視が中止されるので、不要な監視が行われない。
【００９２】
また、請求項２に係る発明の遊技機では、遊技機のＩＣタグ監視装置は、大入賞口の開閉扉及び基板ボックスの上蓋部の少なくとも１つに設けられた監視用ＩＣタグ及び認証部材に設けられた認証用ＩＣタグと通信を行い、監視用ＩＣタグの識別情報記憶手段は、他のＩＣタグと区別するための識別情報を記憶することができる。また、ＩＣタグ監視装置の登録情報記憶手段は、監視用ＩＣタグ及び認証用ＩＣタグの監視のための情報である登録情報を記憶し、監視用呼出波送信手段は、監視用ＩＣタグを呼び出す監視用呼出波を送信し、監視用反射波受信手段は、監視用ＩＣタグから返送される監視用反射波を受信し、監視判定手段は、監視用呼出波送信手段が監視用ＩＣタグに監視用呼出波を送信してから所定時間内に監視用反射波を監視用反射波受信手段が受信しなかった場合に異常と判定し、監視情報記憶手段は、監視判定手段による判定の結果に関する情報である監視情報を記憶し、認証用呼出波送信手段は、認証用ＩＣタグを呼び出す認証用呼出波を送信し、認証用反射波受信手段は、認証用ＩＣタグから返送される認証用反射波を受信し、認証判定手段は、認証用反射波受信手段が、登録情報記憶手段に記憶されている登録情報の中の識別情報と同一の識別情報を含む認証用反射波を受信した場合に、遊技機を認証状態に移行させ、記憶制御手段は、認証判定手段により認証状態に移行された場合に、監視情報を監視情報記憶手段に記憶しないように制御することができる。したがって、遊技機が認証状態である場合には、監視情報が記憶されないので、不要な監視情報が記憶されず、記憶エリアを節約でき、また監視情報を閲覧する際にも、不要な監視情報がないのでわかりやすい。
【００９３】
また、請求項３に係る発明の遊技機では、遊技機のＩＣタグ監視装置は、大入賞口の開閉扉及び基板ボックスの上蓋部の少なくとも１つに設けられた監視用ＩＣタグ及び認証部材に設けられた認証用ＩＣタグと通信を行い、監視用ＩＣタグの識別情報記憶手段は、他のＩＣタグと区別するための識別情報を記憶することができる。また、ＩＣタグ監視装置の登録情報記憶手段は、監視用ＩＣタグ及び認証用ＩＣタグの監視のための情報である登録情報を記憶し、監視用呼出波送信手段は、監視用ＩＣタグを呼び出す監視用呼出波を送信し、監視用反射波受信手段は、監視用ＩＣタグから返送される監視用反射波を受信し、監視判定手段は、監視用呼出波送信手段が監視用ＩＣタグに監視用呼出波を送信してから所定時間内に監視用反射波を監視用反射波受信手段が受信しなかった場合に異常と判定し、監視情報出力手段は、監視判定手段が異常と判定した場合に、判定の結果に関する情報である監視情報を外部に出力し、認証用呼出波送信手段は、認証用ＩＣタグを呼び出す認証用呼出波を送信し、認証用反射波受信手段は、認証用ＩＣタグから返送される認証用反射波を受信し、認証判定手段は、認証用反射波受信手段が、登録情報記憶手段に記憶されている登録情報の中の識別情報と同一の識別情報を含む認証用反射波を受信した場合に、遊技機を認証状態に移行させ、出力制御手段は、認証判定手段により遊技機が認証状態に移行された場合に、監視情報出力手段により監視情報を外部に出力しないように制御することができる。したがって、遊技機が認証状態である場合には、外部に出力されないので、監視情報が出力された遊技機において、不要な監視情報がなく、記憶エリアを節約でき、監視情報を閲覧する際にもわかりやすい。
【００９４】
また、請求項４に係る発明の遊技機では、請求項２又はのいずれかに記載の発明の効果に加えて、監視情報は、開放が発生した日付、時刻、判定結果及び監視用ＩＣタグが備えられている位置を特定する位置特定符号の少なくとも１つを含む履歴データを用いることができる。
【００９５】
また、請求項５に係る発明の遊技機では、請求項１乃至４のいずれかに記載の発明の効果に加えて、登録情報は、位置特定符号及び認証用ＩＣタグを示す符号毎に対応させて記憶されており、ＩＣタグ監視装置が監視用ＩＣタグに監視用呼出波を送信する送信タイミング、監視用ＩＣタグに記憶されている識別情報、認証用ＩＣタグに認証用呼出波を送信する送信タイミング、及び、認証用ＩＣタグに記憶されている識別情報のうちの少なくとも１つを含むようにできる。
【００９６】
また、請求項６に係る発明の遊技機では、請求項１乃至５のいずれかに記載の発明の効果に加えて、監視用呼出波送信制御手段は、ＲＦ回路からの監視用呼出波の送信を制御し、監視判定手段は、ＲＦ回路と監視用アンテナを用いて監視用ＩＣタグに監視用呼出波を送信してから所定時間内に監視用反射波を受信しなかった場合に異常と判定することができる。
【図面の簡単な説明】
【図１】
図１は、本実施の形態の監視システムの構成図である。
【図２】
図２は、パチンコ機１の前面枠１１１及び本体枠１１０を開いた状態をパチンコ機１の前面から見た斜視図である。
【図３】
図３は、パチンコ機１の背面図である。
【図４】
図４は、パチンコ機１及びパチンコ機１に付属したＲ／Ｗユニット３０の電気的構成を示すブロック図である。
【図５】
図５は、監視用ＩＣタグ８６の平面図である。
【図６】
図６は、監視用ＩＣタグ８６の電気的回路構成を示すブロック図である。
【図７】
図７は、基板ボックス８０の斜視図である。
【図８】
図８は、開閉扉１６ａが開放されている状態のアタッカ部材１６０の斜視図である。
【図９】
図９は、鍵１２１の平面図である。
【図１０】
図１０は、管理端末装置１００の正面図である。
【図１１】
図１１は、管理端末装置１００の電気的構成を示すブロック図である。
【図１２】
図１２は、Ｒ／Ｗユニット３０のＥＥＰＲＯＭ３２の登録情報記憶エリアに記憶されている登録情報３２１の模式図である。
【図１３】
図１３は、Ｒ／Ｗユニット３０のＲＡＭ３３の監視処理使用データ記憶エリアに記憶されている監視処理使用データ３３１の模式図である。
【図１４】
図１４は、Ｒ／Ｗユニット３０のＥＥＰＲＯＭ３２の認証用登録情報記憶エリアに記憶されている認証用登録情報３２２の模式図である。
【図１５】
図１５は、Ｒ／Ｗユニット３０のＥＥＰＲＯＭ３２の監視情報記憶エリアに記憶されている監視情報３２３の模式図である。
【図１６】
図１６は、Ｒ／Ｗユニット３０で行われるメイン処理のフローチャートである。
【図１７】
図１７は、Ｒ／Ｗユニット３０で行われるメイン処理の中で行われる＜動作例１＞の監視処理のフローチャートである。
【図１８】
図１８は、Ｒ／Ｗユニット３０で行われるメイン処理の中で行われる＜動作例２＞の監視処理のフローチャートである。
【図１９】
図１９は、Ｒ／Ｗユニット３０で行われるメイン処理の中で行われる＜動作例３＞の監視処理のフローチャートである。
【符号の説明】
１ パチンコ機
１６ 大入賞口
１６ａ 開閉扉
３０ Ｒ／Ｗユニット
３１ ＣＰＵ
３２ ＥＥＰＲＯＭ
３５ ＲＦ回路
６８ 監視用アンテナ
８０ 基板ボックス
８０ａ 上蓋部
８６ 監視用ＩＣタグ
１２１ 鍵
１２６ 認証用ＩＣタグ
１２８ 認証用アンテナ
１６８ 監視用アンテナ
１８６ 監視用ＩＣタグ
３２１ 登録情報